(57)【要約】【課題】コンクリート又はアスファルトの切断により発生する汚水を、切削水として再利用可能とすることで、環境に配慮しつつ、汚水処理のコストを低減可能な固液分離汚水処理機を提供すること。【解決手段】個液分離汚水処理機１は、コンクリート又はアスファルトを切断する切断機５０による切断箇所に供給された切削水と、コンクリート又はアスファルトの切断により発生した塵と、が混合した汚水を処理し、汚水から排出された排水と、固体と液体を分離する固液分離剤と、を攪拌する固液分離剤溶液攪拌部１０を備え、固液分離剤溶液攪拌部１０は、攪拌された固液分離剤溶液を、切削水として切断機５０に供給する。【選択図】図１
2018176422.tif 000002
【特許請求の範囲】
【請求項１】
コンクリート又はアスファルトを切断する切断機による切断箇所に供給された切削水と、コンクリート又はアスファルトの切断により発生した塵と、が混合した汚水を処理する固液分離汚水処理機であって、
前記汚水から排出された排水と、固体と液体を分離する固液分離剤と、を攪拌する固液分離剤溶液攪拌部を備え、
前記固液分離剤溶液攪拌部は、攪拌された固液分離剤溶液を、前記切削水として前記切断機に供給する固液分離汚水処理機。
【請求項２】
前記汚水に含まれる汚泥を脱水する汚泥脱水部を、更に備え、
前記汚泥脱水部は、汚泥の脱水により排出した排水を、前記固液分離剤溶液攪拌部に給水する請求項１に記載の固液分離汚水処理機。
【発明の詳細な説明】
【技術分野】
【０００１】
本発明は、個液分離汚水処理機に関し、詳しくは、コンクリート又はアスファルトを切断する切断機による切断箇所に供給された切削水と、コンクリート又はアスファルトの切断により発生した塵と、が混合した汚水を処理する固液分離汚水処理機に関する。
【背景技術】
【０００２】
従来、コンクリート又はアスファルトを切断機で切断すると、塵が発生する。このため、切断機には、この塵の飛散を防止する機構が設けられている。
【０００３】
このような切断機として、カッターブレードに対する防塵カバーを設け、油圧メインモータの回転を伝導してカッターブレードを回転させてコンクリート構造物を切断するコンクリート構造物の切断装置が提案されている（特許文献１）。
この切断装置によれば、防塵カバーにより、切断時に発生する塵の飛散を防止することができる。
【先行技術文献】
【特許文献】
【０００４】
【特許文献１】特開２００６−１１０９６９号公報
【発明の概要】
【発明が解決しようとする課題】
【０００５】
ところで、特許文献１のような切断機には、コンクリート又はアスファルトの切断箇所に切削水を供給しながら、切断する場合がある。切削水を供給しながら、切断することで、塵の飛散をより防止できる。
【０００６】
しかしながら、供給された切削水は、コンクリート又はアスファルトの切断により発生した塵と混合し汚水となる。このような汚水は、そのまま排水すれば環境に悪影響を及ぼす可能性があり、また、排水可能な状態にするための処理には多大なコストが掛かる。
【０００７】
本発明は、コンクリート又はアスファルトの切断により発生する汚水を、切削水として再利用可能とすることで、環境に配慮しつつ、汚水処理のコストを低減可能な固液分離汚水処理機を提供することを目的とする。
【課題を解決するための手段】
【０００８】
（１）  コンクリート又はアスファルトを切断する切断機による切断箇所に供給された切削水と、コンクリート又はアスファルトの切断により発生した塵と、が混合した汚水を処理する固液分離汚水処理機であって、
前記汚水から排出された排水と、固体と液体を分離する固液分離剤と、を攪拌する固液分離剤溶液攪拌部を備え、
前記固液分離剤溶液攪拌部は、攪拌された固液分離剤溶液を、前記切削水として前記切断機に供給する固液分離汚水処理機。
【０００９】
（１）の発明によれば、個液分離汚水処理機は、固液分離剤溶液攪拌部を備え、コンクリート又はアスファルトを切断する切断機による切断箇所に供給された切削水と、コンクリート又はアスファルトの切断により発生した塵と、が混合した汚水を処理する。
分離剤溶液攪拌部は、汚水から排出された排水と、固体と液体を分離する固液分離剤と、を攪拌する。
そして、分離剤溶液攪拌部は、攪拌された固液分離剤溶液を、切削水として切断機に供給する。
【００１０】
これにより、切断機により、コンクリート又はアスファルトを切断したことにより発生した汚水を、固液分離剤とともに攪拌し、再び、切断機の切削水として供給できるので、汚水を再利用することが可能となる。
したがって、コンクリート又はアスファルトの切断により発生する汚水を、切削水として再利用可能とすることで、環境に配慮しつつ、汚水処理のコストを低減可能な固液分離汚水処理機を提供できる。
【００１１】
また、切断機の切削水を固液分離剤溶液とすることで、切断機による切断時に、ブレードの回転で、汚水と固液分離剤とを攪拌することも可能となるので、汚水の処理効率が向上する。
【００１２】
（２）  前記汚水に含まれる汚泥を脱水する汚泥脱水部を、更に備え、
前記汚泥脱水部から排出された排水を、前記固液分離剤溶液攪拌部に給水する（１）に記載の個液分離汚水処理機。
【００１３】
（２）の発明によれば、汚泥脱水部により、汚水に含まれる汚泥を脱水した排水と、固液分離剤と、を攪拌した固液分離剤溶液を、切削水として再利用できるので、汚泥により切断機等が故障する可能性を低減できるので、メンテナンス性が向上する。
【発明の効果】
【００１４】
本発明によれば、コンクリート又はアスファルトの切断により発生する汚水を、切削水として再利用可能とすることで、環境に配慮しつつ、汚水処理のコストを低減可能な固液分離汚水処理機を提供できる。
【図面の簡単な説明】
【００１５】
【図１】本発明の実施形態に係る個液分離汚水処理機１を適用した個液分離汚水処理システム１００の概要を説明する図である。
【図２】本発明の実施形態に係る個液分離汚水処理システム１００において、切削水を再利用可能に循環する処理の流れを説明する図である。
【発明を実施するための形態】
【００１６】
以下、本発明の実施形態について説明するが、本発明はこれに限定されるものではない。また、以下の実施形態の説明にあたって、同一構成要件については同一符号を付し、その説明を省略もしくは簡略化する。
【００１７】
まず、前記実施形態に係る個液分離汚水処理機１の構成について、図面を参照しながら説明する。
図１は、本発明の実施形態に係る個液分離汚水処理機１を適用した個液分離汚水処理システム１００の概要を説明する図である。
【００１８】
個液分離汚水処理システム１００は、個液分離汚水処理機１と、個液分離汚水処理機１から切削水を供給され、コンクリート又はアスファルト等の被切断物２００の切断により発生する汚水が、個液分離汚水処理機１により回収される切断機５０と、を備える。
【００１９】
個液分離汚水処理機１は、固液分離剤溶液攪拌部１０と、汚泥脱水部２０と、を備え、被切断物２００を切断する切断機５０による切断箇所に供給された切削水と、被切断物２００の切断により発生した塵と、が混合した汚水を処理する。
なお、図示は省略するが、個液分離汚水処理機１は、後述する攪拌モータ１２、給水ポンプ１３、循環ポンプ２４等の電気で駆動する機器に電気を供給する電源部（図示無し）を備える。
【００２０】
固液分離剤溶液攪拌部１０は、固液分離剤攪拌槽１１と、攪拌モータ１２と、給水ポンプ１３と、を備え、汚水から排出された排水と、固体と液体を分離する固液分離剤と、を攪拌する。
【００２１】
固液分離剤攪拌槽１１は、液体を収容可能なタンク形状に形成され、切断機５０の切断工程により発生した汚水から、汚泥脱水部２０により排出された排水と、固液分離剤と、一般的に切削水として利用される液体（例えば、水道水等）と、が混合された固液分離剤溶液を収容する。
【００２２】
固液分離剤は、排水に含まれる個体（例えば、被切断物２００の切断時に発生した塵等）に吸着する物質であり、例えば、ゼオライト、消石灰、硫酸アルミニウム、石膏、高分子凝集剤等である。
【００２３】
攪拌モータ１２は、電源部（図示無し）から供給された電気により回転軸を回転し、回転軸に設けられた羽により、固液分離剤攪拌槽１１内に収容された排水と、固液分離剤と、切削水として利用される液体と、が混合された固液分離剤溶液を、攪拌する。
【００２４】
給水ポンプ１３は、電源部（図示無し）から供給された電気により、固液分離剤攪拌槽１１に収容された固液分離剤溶液を切削水として、配管を介して、切断機５０に供給する。
【００２５】
切断機５０は、この供給された固液分離剤溶液を、被切断物２００の切断箇所（例えば、ブレード５１と被切断物２００が当接する部分）に供給しながら、ブレード５１を回転させ、被切断物２００を切断する。
このとき、回転するブレード５１により、被切断物２００から発生した塵と、供給した固液分離剤溶液と、を攪拌する。これにより、被切断物２００を切断しながら、塵と固液分離剤溶液とを攪拌できるので、作業効率が向上する。
なお、被切断物２００がアスファルトの場合、油成分も発生するが、この油成分を分離することなく回収できる。
【００２６】
汚泥脱水部２０は、汚水集水槽２１と、汚泥脱水処理槽２２と、排水槽２３と、循環ポンプ２４と、を備え、汚水に含まれる汚泥を脱水し、汚泥の脱水により排出した排水を、固液分離剤溶液攪拌部１０に給水する。
【００２７】
汚水集水槽２１は、液体を収容可能なタンク形状に形成され、切断機５０による切断箇所に供給された切削水と、被切断物２００の切断により発生した塵と、が混合した汚水が、貯留される。
汚水集水槽２１は、底に排水口が設けられ、この排水口に向かって内法が小さくなる先細りの形状に形成されている。汚水集水槽２１に収容された汚水は、この底の排水口より、下方に落下し、汚泥脱水処理槽２２に収容される。
【００２８】
汚泥脱水処理槽２２は、汚水集水槽２１の下方に配置され、汚水集水槽２１から落下された汚水を収容可能なタンク形状に形成され、底面に固液分離脱水排水フィルタ２２１が配置されている。これにより、汚水集水槽２１から落下された汚水に含まれる固形残渣が固液分離脱水排水フィルタ２２１の上に残り、汚水から固形残渣が除かれた排水が、固液分離脱水排水フィルタ２２１を通過し、下方に落下し、排水槽２３に収容される。
【００２９】
排水槽２３は、汚泥脱水処理槽２２の固液分離脱水排水フィルタ２２１の下方に配置され、固液分離脱水排水フィルタ２２１を通過した排水を収容可能なタンク形状に形成されている。
【００３０】
循環ポンプ２４は、電源部（図示無し）から供給された電気により、排水槽２３に収容された排水を、配管を介して、固液分離剤溶液攪拌部１０の固液分離剤攪拌槽１１に供給する。
【００３１】
なお、図１に示す例では、切断機５０は、床面を切断する切断工として記載しているが、これに限らず、湿式の回転機器切断機であれば、例えば、ウォールソーイング切断工や、コア切削工等の任意の切断機であってよい。
【００３２】
次に、個液分離汚水処理システム１００において、切削水を再利用可能に循環する処理の流れを説明する。
図２は、本発明の実施形態に係る個液分離汚水処理システム１００において、切削水を再利用可能に循環する処理の流れを説明する図である。
【００３３】
個液分離汚水処理システム１００では、個液分離汚水処理機１の固液分離剤溶液攪拌部１０から、固液分離剤と切削水とが混合された固液分離剤溶液を、切断機５０に給水する。
【００３４】
切断機５０は、固液分離剤溶液を、被切断物の切断箇所（例えば、ブレードと被切断物が当接する部分）に供給しながら、ブレードを回転させ、被切断物２００を切断する。
このとき、回転するブレードにより、被切断物２００から発生した塵と、供給した固液分離剤溶液と、が攪拌され、汚水となる。
【００３５】
この汚水は、個液分離汚水処理機１により回収され、汚泥脱水処理槽２２において、汚水に含まれる汚泥が脱水され、汚泥の脱水により排出された排水の一部が、排水槽２３に貯留され、固液分離剤溶液攪拌部１０に給水され再利用され、一部が放流される。また、汚泥の脱水により発生した固形残渣は、排水槽２３に残り、取り出され産業廃棄物として処理される。
【００３６】
なお、本発明は前記実施形態に限定されるものではなく、本発明の目的を達成できる範囲での変形、改良等は本発明に含まれるものである。
【符号の説明】
【００３７】
１  個液分離汚水処理機
１０  固液分離剤溶液攪拌部
１１  固液分離剤攪拌槽
１２  攪拌モータ
１３  給水ポンプ
２０  汚泥脱水部
２１  汚水集水槽
２２  汚泥脱水処理槽
２３  排水槽
２４  循環ポンプ
２９  平成
５０  切断機
５１  ブレード
１００  個液分離汚水処理システム
２００  被切断物
２２１  固液分離脱水排水フィルタ
【図１】
2018176422.tif 000003
【図２】
2018176422.tif 000004